(57)【特許請求の範囲】
【請求項１】
一面が開いておりクリーナエレメントを収納するボックス状のクリーナケースと、このクリーナケースに設けられている差し込み口と、この差し込み口と対向する位置に前記クリーナケースに設けられている爪掛け部と、前記差し込み口に差し込む舌状部及び前記爪掛け部に掛ける爪部材を備えており前記クリーナケースの開口を塞ぐ第１のカバーとからなるエアクリーナ装置を対象とし、
前記爪部材の代わりに、ボルト穴を備え且つ前記差し込み口に差し込む舌状部を備えている第２のカバーを準備すると共に、前記爪掛け部に取外し可能に取付けられ前記ボルト穴に対応するナット部を備えているアタッチメントとを準備し、
前記クリーナケースから前記第１のカバーを外し、前記爪掛け部に前記アタッチメントを取付け、前記クリーナケースに前記第２のカバーを被せ、前記ボルト穴にボルトを通し、このボルトを前記ナット部にねじ込むことで、前記クリーナケースに第２のカバーを取付けることを特徴とするエアクリーナ装置のカバー交換方法。
【請求項２】
一面が開いておりクリーナエレメントを収納するボックス状のクリーナケースと、このクリーナケースに設けられている差し込み口と、この差し込み口と対向する位置に前記クリーナケースに設けられている爪掛け部と、前記差し込み口に差し込む舌状部及び前記爪掛け部に掛ける爪部材を備えており前記クリーナケースの開口を塞ぐ第１のカバーとからなるエアクリーナ装置を対象とし、
前記第１のカバーに変えて、前記爪部材の代わりにボルト穴を備え且つ前記差し込み口に差し込む舌状部を備えている第２のカバーを前記クリーナケースに取付けるときに、使用するアタッチメントであって、
このアタッチメントは、２個の前記爪掛け部の各々に挿入する挿入片と、コ字状の爪掛け部の縁に引っ掛ける鉤爪と、これらの挿入片及び鉤爪を一括して支える支持部と、この支持部に設けられ前記ボルト穴に対応するナット部とからなることを特徴とするエアクリーナ装置カバー交換用アタッチメント。
【請求項３】
前記挿入片は、１個の爪掛け部当たり複数枚が前記支持部から延ばされていることを特徴とする請求項２記載のエアクリーナ装置カバー交換用アタッチメント。
【発明の詳細な説明】
【技術分野】
【０００１】
本発明は、エアクリーナ装置のカバーの交換技術に関する。
【背景技術】
【０００２】
内燃機関の燃焼室へクリーンな空気を供給することを目的に、内燃機関にエアクリーナ装置が付属される。このエアクリーナ装置は、クリーナエレメントが収納されるクリーナケースに、カバーで覆う構造のものが主に用いられる。（例えば、特許文献１参照。）。
【特許文献１】特開２００６−１１２３５９公報（図２）
【０００３】
特許文献１を次図に基づいて説明する。
図４は従来のエアクリーナ装置の断面図であり、エアクリーナ装置１００は、クリーナエレメント１０１が配置されるクリーナケース１０２の上部開口を、カバー１０３で覆ってなる。各構成要素の構成を以下に詳しく説明する。
クリーナケース１０２は、一端に差し込み口１０４を備え、他端に爪掛け部１０５を備えている。
【０００４】
カバー１０３は、差し込み口１０４に掛けられる舌状部１０７と、爪掛け部１０５に掛けられる爪部材１０８と、シール材１０６に食い込むことによりカバー１０３及びクリーナケース１０２で囲われる領域をシールするシール抑え部材１０９とからなる。
以上の構成により、エアクリーナ装置１００内の空気は、クリーナエレメント１０１で濾過され、開口穴１１１から内燃機関等へ送られる。
【０００５】
図５は図４の作用説明図であり、カバー１０３を取り付ける手順を説明すると、矢印（１）で示すように、舌状部１０７を差し込み口１０４に差し込む。次に、矢印（２）で示すように爪部材１０８を爪掛け部１０５に通すように、爪部材１０８を下げる。これで、爪部材１０８は爪掛け部１０５に係合する。
【０００６】
図４、５に示したエアクリーナ装置１００は、爪部材１０８と爪掛け部１０５とを用いてクリーナケース１０２にカバー１０３を固定する型式の装置である。
このような型式の他に、次図で示すようにボルト及びナットを用いる形式のものもある。
【０００７】
図６は従来の別のエアクリーナ装置を説明する図であり、このエアクリーナ装置１２０では、クリーナケース１２１は一端に差し込み口１０４を備え、他端にナット１２２を備えている。そして、カバー１２３に設けたボルト穴１２４にボルト１２５を通し、ナット１２２にねじ込む。すなわち、エアクリーナ装置１２０は、舌状部１０７とボルト１２５とを用いてクリーナケース１２１にカバー１２３を固定する。
【０００８】
図４及び図６に示すように、カバーのクリーナケースへの取付け方は数種類存在する。
一方、カバーは外観部品であり、目立つために、購入者又は利用者（いわゆるユーザー）側の要望で、図４に示すクリーナケース１０２に、図６に示すカバー１２３を取付けることがある。従来の技術では、このような場合に対応できない。
そこで、このような場合に対応でき、汎用性の高いカバーの交換技術が求められる。
【０００９】
汎用性が高いエアクリーナ装置カバーの交換技術の提供が望まれる。
【発明の開示】
【発明が解決しようとする課題】
【００１０】
本発明は、汎用性が高いエアクリーナ装置カバーの交換技術の提供を課題とする。
【課題を解決するための手段】
【００１１】
請求項１に係る発明は、一面が開いておりクリーナエレメントを収納するボックス状のクリーナケースと、このクリーナケースに設けられている差し込み口と、この差し込み口と対向する位置に前記クリーナケースに設けられている爪掛け部と、前記差し込み口に差し込む舌状部及び前記爪掛け部に掛ける爪部材を備えており前記クリーナケースの開口を塞ぐ第１のカバーとからなるエアクリーナ装置を対象とし、
前記爪部材の代わりに、ボルト穴を備え且つ前記差し込み口に差し込む舌状部を備えている第２のカバーを準備すると共に、前記爪掛け部に取外し可能に取付けられ前記ボルト穴に対応するナット部を備えているアタッチメントとを準備し、
前記クリーナケースから前記第１のカバーを外し、前記爪掛け部に前記アタッチメントを取付け、前記クリーナケースに前記第２のカバーを被せ、前記ボルト穴にボルトを通し、このボルトを前記ナット部にねじ込むことで、前記クリーナケースに第２のカバーを取付けることを特徴とする。
【００１２】
請求項２に係る発明は、一面が開いておりクリーナエレメントを収納するボックス状のクリーナケースと、このクリーナケースに設けられている差し込み口と、この差し込み口と対向する位置に前記クリーナケースに設けられている爪掛け部と、前記差し込み口に差し込む舌状部及び前記爪掛け部に掛ける爪部材を備えており前記クリーナケースの開口を塞ぐ第１のカバーとからなるエアクリーナ装置を対象とし、
前記第１のカバーに変えて、前記爪部材の代わりにボルト穴を備え且つ前記差し込み口に差し込む舌状部を備えている第２のカバーを前記クリーナケースに取付けるときに、使用するアタッチメントであって、
このアタッチメントは、２個の前記爪掛け部の各々に挿入する挿入片と、コ字状の爪掛け部の縁に引っ掛ける鉤爪と、これらの挿入片及び鉤爪を一括して支える支持部と、この支持部に設けられ前記ボルト穴に対応するナット部とからなることを特徴とする。
【００１３】
請求項３に係る発明は、挿入片は、１個の爪掛け部当たり複数枚が支持部から延ばされていることを特徴とする。
【発明の効果】
【００１４】
請求項１に係る発明では、第１のカバーを外し、爪掛け部にアタッチメントを取付け、クリーナケースに第２のカバーを被せ、ボルト穴にボルトを通し、このボルトをナット部にねじ込む。アタッチメントを用いることにより、第１のカバーから第２のカバーへ交換することができる。取付け方の違う第１のカバーと第２のカバーとを、同じクリーナケースに取付けることができるため、汎用性が高く有益である。
【００１５】
請求項２に係る発明では、第２のカバーをクリーナケースに取付けるときに、アタッチメントを使用する。アタッチメントを用いるだけで、第１のカバーをタイプの異なる第２のカバーに交換することができる。容易にタイプの異なるカバーの交換をすることができ、有益である。
【００１６】
請求項３に係る発明では、挿入片は、１個の爪掛け部当たり複数枚が支持部から延ばされている。１個の爪掛け部に複数の挿入片が挿入される。挿入片のクリーナケースに対する接触点を多くすることにより、アタッチメントをしっかり固定することができる。
【発明を実施するための最良の形態】
【００１７】
本発明を実施するための最良の形態を添付図に基づいて以下に説明する。
図１は本発明に係るエアクリーナの断面図であり、理解を促すために第１のカバー１３の上方に、第２のカバー３０を示した。
エアクリーナ装置１０は、クリーナエレメント１１を収納するボックス状のクリーナケース１２の開口部を、第１のカバー１３で覆ってなる。
【００１８】
クリーナケース１２は、基体１４の右端に設けられる鍔部１５と、この鍔部１５に設けられ第１のカバー１３を回動可能に支持する差し込み口１６と、この差し込み口１６と対向する位置に設けられるコ字状の爪掛け部１７と、突起部１８によりずれが防止され内周面でクリーナエレメント１１を支持するシール材１９と、基体１４下面に設けられクリーナエレメント１１で濾過された空気が流れる開口穴２１と、からなる。なお、シール材１９は、便宜的にクリーナケース１２の構成要素としたが、クリーナケース１２とは別部品として扱うことは差し支えない。
【００１９】
第１のカバー１３は、右端に配置され差し込み口１６に差し込まれる舌状部２４と、この舌状部２４の他端に配置され爪掛け部１７に掛けられる爪部材２５と、シール材１９に食い込むことにより基体１４及び第１のカバー１３で囲われた領域をシール材１９と共にシールするシール抑え部材２６と、からなる。
【００２０】
第１のカバー１３は、クリーナケース１２から外すことができる。第１のカバー１３を取り外す場合は、まず爪部材２５を図面手前側に押しながら爪部材２５を爪掛け部１７から外し、第１のカバー１３を持ち上げる。第１のカバー１３を所定の位置まで持ち上げたら、差し込み口１６から舌状部２４を外し、第１のカバー１３を取り外すことができる。
【００２１】
第２のカバー３０は、右端に配置され差し込み口１６に差し込まれる舌状部３１と、この舌状部３１の他端に配置されボルト（詳細は後述）が通されるボルト穴３２と、シール材１９に食い込むことにより基体１４及び第２のカバー３０で囲われた領域をシール材１９と共にシールするシール抑え部材３３と、からなる。
このような第２のカバー３０の取り付け方は、後述の図２で説明する。すなわち、本発明によれば、第１のカバー１３に代えて第２のカバー３０をクリーナケース１２に取付けることができる。この取付要領を次に説明する。
【００２２】
図２は本発明に係る第２のカバーの取付方法を説明する図であり、説明の都合でクリーナエレメント１１と、シール材１９とを省略した。
第２のカバー３０を取り付ける場合は、まずアタッチメント４０を準備する。このアタッチメント４０は、爪掛け部１７、１７に挿入される複数の挿入片４１と、先端が鉤状に形成され爪掛け部１７、１７に引っ掛けられる鉤爪４２、４２と、これらの鉤爪４２、４２及び挿入片４１を一括して支える支持部４３と、この支持部に設けられボルト穴３２に対応するナット部４４とからなる。
【００２３】
アタッチメント４０は、樹脂製のものであることが望ましい。樹脂を用いることにより、アタッチメント４０を容易に製造することができ、軽量化も図ることができる。
ナット部４４は、支持部４３に樹脂一体成形することが望ましいが、支持部４３に穴を空け、後にナットを挿入してもよい。
【００２４】
アタッチメント４０を準備したら、第１のカバー（図１符号１３）を図１で説明した要領で外し、図面下側からアタッチメント４０を押し込むようにして爪掛け部１７に取り付ける。アタッチメント４０を押し込むことにより、鉤爪４２、４２が挿入片４１側に向かって撓みながら爪掛け部１７の縁に掛かる。このようにして、アタッチメント４０が爪掛け部１７に取り付けられる。
【００２５】
挿入片４１は、１個の爪掛け部１７当たり複数枚が支持部４３から延ばされている。１個の爪掛け部１７に複数の挿入片４１が挿入される。挿入片４１のクリーナケース１２に対する接触点を多くすることにより、アタッチメント４０をしっかり固定することができる。
【００２６】
次に、第２のカバー３０の舌状部３１、３１を、差し込み口１６、１６に差し込む。次に、クリーナケース１２へ第２のカバー３０を被せる。これで、ボルト穴３２がナット部４４に重なる。
ボルト４５をねじ込む際の詳細は次図で説明する。
【００２７】
図３は本発明に係る第２のカバーを取り付けたエアクリーナ装置を説明する図であり、ボルト４５をナット部４４にねじ込むことにより、第２のカバー３０の取付けが完了し、エアクリーナ装置５０が完成する。すなわち、第２のカバー３０は、舌状部３１とボルト４５とアタッチメント４０とで、クリーナケース１２に固定される。
【００２８】
再度、第１のカバー（図１符号１３）を取り付ける場合は、今まで説明したのと逆の手順で作業を行えばよい。即ち、ボルト４５をナット部４４及びボルト穴３２から外し、次に第２のカバー３０を持ち上げる。第２のカバー３０を所定の位置まで持ち上げたら、舌状部３１を差し込み口１６から外し、第２のカバー３０を外す。第２のカバー３０を外したら、鉤爪（図２符号鉤爪４２）をナット部４４側へ押し込むようにして、アタッチメント４０を外し第１のカバーを取り付ける。
【００２９】
アタッチメント４０を用いることにより、第１のカバー１３から第２のカバー３０へ交換することができる。取付け方の違う第１のカバー１３と第２のカバー３０とを、同じクリーナケース１２に取付けることができるため、汎用性が高く有益である。
【００３０】
尚、本発明に係るアタッチメントの挿入片は、実施の形態では複数配置したが、単数であっても本発明の目的を達成することができる。
挿入片を複数配置した場合は、挿入片のクリーナケースに対する接触点を多くすることができ、アタッチメントをしっかり固定することができる。
【産業上の利用可能性】
【００３１】
本発明のエアクリーナ装置のカバー交換方法は、内燃機関に用いるエアクリーナ装置のカバー交換に好適である。
【図面の簡単な説明】
【００３２】
【図１】本発明に係るエアクリーナの断面図である。
【図２】本発明に係る第２のカバーの取付方法を説明する図である。
【図３】本発明に係る第２のカバーを取り付けたエアクリーナ装置である。
【図４】従来のエアクリーナ装置の断面図である。
【図５】図４の作用説明図である。
【図６】従来の別のエアクリーナ装置を説明する図である。
【符号の説明】
【００３３】
１０、５０…エアクリーナ装置、１１…クリーナエレメント、１２…クリーナケース、１３…第１のカバー、１６…差し込み口、１７…爪掛け部、２４…舌状部、２５…爪部材、３０…第２のカバー、３１…舌状部、３２…ボルト穴、４０…アタッチメント、４１…挿入片、４２…鉤爪、４３…支持部、４４…ナット部、４５…ボルト。
【図１】
0004909317.tif 000002
【図２】
0004909317.tif 000003
【図３】
0004909317.tif 000004
【図４】
0004909317.tif 000005
【図５】
0004909317.tif 000006
【図６】
0004909317.tif 000007